(57)【要約】【課題】小型軽量、低消費電力で携帯性の優れた記録装置を提供する。【解決手段】インクジェットヘッドのノズル面を覆うキャップにおいて、手動で前記キャップ内に負圧を発生させる負圧発生手段と、前記ノズル面を拭き取るワイパーを前記キャップに一体に設けたことを特徴とする手動記録回復装置を有する記録装置。【選択図】　　　　図１
2004009417.tif 000002
【特許請求の範囲】
【請求項１】
電気エネルギーを利用し液体を吐出させるインクジェットヘッドのノズル面を覆うキャップにおいて、手動で前記キャップ内に負圧を発生させる負圧発生手段と、前記ノズル面を拭き取るワイパーを前記キャップに一体に設けたことを特徴とする手動記録回復装置。
【請求項２】
キャップをノズル面より挿脱することによりキャップ内に負圧を発生させる請求項１に記載の手動記録回復装置。
【請求項３】
キャップ内にノズル面を拭き取るワイパーを設けた請求項１ないし２に記載の手動記録回復装置。
【請求項４】
ノズル面を拭き取るワイパーとワイパーを動かす為のレバーが分離している請求項３に記載の手動記録回復装置。
【請求項５】
キャップ内にインクを吸収する吸収体を設けた請求項１から４に記載の手動記録回復装置。
【請求項６】
記録装置本体を握持し、手動で移動させながら被記録媒体に記録する記録装置において、記録装置の移動をガイドするガイド部材と該ガイド部材長手方向に対する前記記録装置の移動量を検出する検出手段を設けた請求項１から５に記載の手動回復装置を設けた手動式記録装置。
【請求項７】
記録装置本体を握持し、手動で移動させながら被記録媒体に記録する記録装置において、記録装置の移動をガイドするガイド部材と該ガイド部材長手方向に対する前記記録装置の移動量を検出する検出手段を設けた手動式記録装置のガイド部材をインクジェットヘッドを覆うキャップ又は記録装置本体と一体になるよう固定することが可能な請求項６に記載の手動式記録装置。
【請求項８】
電気エネルギーを利用し液体を吐出させるインクジェットヘッドの液体吐出を、液体に熱エネルギーを与えることにより液体中に生成する気泡の圧力によってなされるインクジェットヘッドを有する請求項１から５に記載の手動記録回復装置もしくは請求項５から７に記載の手動式記録装置。
【発明の詳細な説明】
【０００１】
【発明の属する技術分野】
本発明は、電気エネルギーを利用し液体を吐出させるインクジェットヘッドのノズル面を覆うキャップに関するものである。
【０００２】
【従来の技術】
記録装置として代表的なプリンタは、パーソナルコンピュータの普及と共に個人単位での利用が増加しており、特にインクジェット方式のプリンタは小型かつ低コストな為パーソナルユース市場では最も一般的なものとなっている。
【０００３】
一方、情報処理装置としてのコンピュータは、出張先や、移動中の新幹線の中等で使用できるよう、小型軽量化、低消費電力化されたものも多く発売されてきている。
【０００４】
【発明が解決しようとする課題】
以上のような背景から、プリンタにも小型軽量化、低消費電力化が求められている。
【０００５】
ところでインクジェット方式のプリンタでは、ヘッドフェイス面に付着した紙ケバ、ゴミ等により、記録不良になることがある。その際、ノズルフェイス面よりインクを吸引したり、ワイパーによりフェイス面へ付着した紙ケバ等を払い落とす作業をする回復系ユニットが設けられている。
【０００６】
しかし、この回復系ユニットを作動させるには、通常パルスモータ等を駆動させるため多くの電力を消費し、また、モータ等の駆動装置も大きなため、回復系ユニット自身も大きくなり、小型軽量、低消費電力を目指すプリンタとしては大きな問題となる。
【０００７】
【課題を解決するための手段】
上記問題点を解決するために本発明では電気エネルギーを利用し液体を吐出させるインクジェットヘッドのノズル面を覆うキャップにおいて、手動で前記キャップ内に負圧を発生させる負圧発生手段と、前記ノズル面を拭き取るワイパーを前記キャップに一体に設けた手動記録回復装置を提供する。
【０００８】
【発明の実施の形態】
（第１実施形態）
次に、本発明の実施形態について図面を参照して説明する。
【０００９】
図１は、本発明インクジェット記録装置が記録媒体である用紙４０に対して机の上で印字を行う状態を表した斜視図であり、図２、図３は前記記録装置の携帯時の状態を表した斜視図である。また、図１２は本記録装置の制御部を表したブロック図であり、図４は図３に示したレバー２を中央部へ移動し、キャップ１を矢印Ｂ方向へ移動した時の断面図であり、図５は図３における右端部付近の断面図である。図７は、図１の矢印Ｅ方向から見た側面図。図８は図１の矢印Ｆ方向から見た側面図である。
【００１０】
図２に示すようキャップ１は携帯時に後述するインクジェットヘッド３１をカバーし、インクジェットヘッド３１のノズル部の乾燥やゴミの付着を防止するが、図１に示すよう記録時にはヘッドノズル面と逆の方から本体３へ挿入し使用する。キャップ１に関しては後に詳細に説明する。
【００１１】
図４に示すよう本体３にはインクを吐出する為のヘッド３１、ヘッド３１ヘインクを供給するためのインクタンク３３が設けられている。ヘッド３１は１インチあたり３６０個で本体３の長手方向にトータル１２００個のノズルを有している。又、ヘッド３１への吐出信号の制御や外部からの信号の授受を司る制御部５４を有するＰＣＢ３２と電気エネルギーをヘッド３１やＰＣＢ３２へ供給するためのバッテリ３４も本体３に設けられている。図１、図１２に示すようＬＥＤ５は本記録装置の状態を表す表示部であり、ＰＣＢ３２に接続されている。スイッチ６も同様にＰＣＢ３２に接続され、本記録装置への入力手段の役割を果たしている。
【００１２】
図８において、本体３側面部に設けられたＩｒＤＡ４１は本記録装置とパソコン等の赤外線信号の受け渡しを行うためのインターフェースであり、ＰＣＢ３２に接続されている。図１に示すようローラ４にはローラ軸６０が設けられ、ローラ軸６０は本体３に回転自由に取り付けられている。図７に示すようローラ４の外周部はガイド軸９に設けられた２個のゴム足９と共に用紙４０が置かれた机等の上に接している。ヘッド３１のノズル面と用紙４０とのクリアランスは２個のゴム足９とローラ４により一定に保たれる。図１及び図７に示すよう、拍車１７は本体３に３個回転自由に取り付けられて、印字状態では不図示のバネ軸によりわずかに用紙４０を下へ押しつけるよう構成されている。
【００１３】
図１に示すようガイド軸７ははぼ円柱形状をしており下部の両端にゴム足９が一体に設けられている。ゴム足９は高摩擦の材質でできており、記録状態でガイド軸７を机上にしっかり固定する役割を果たしている。ガイド軸７上部は長手方向全体にわたり切り欠かれた形状をしており、その部分に磁気的エンコーダ２０が張り付けられている。また、ガイド軸７は印字状態では本体３に設けられたガイド穴１５に摺動可能に挿入されており本体３を矢印Ａ方向に移動させる際にガイドの役割をはたす。しかし、携帯時は図２に示すよう軸７はキャップ１に設けられたツメ１１、ツメ１２に挟み込まれている。
【００１４】
図６は記録時の状態を表しており、本体３のガイド穴１５にガイド軸７が挿入されている部分の断面図である。
【００１５】
センサ４２はＰＣＢ３７に設けられ、エンコーダ２０の磁気信号を読みとり、本体３の移動量を検出する。
【００１６】
次に、キャップ１に関して説明する。
【００１７】
図３において、キャップ１には中央部長手方向に溝１２が設けられており、溝１２に沿って移動可能にレバー２は構成されている。レバー２はヘッド３１がインク吐出を正常に行う為の、回復動作の際に使用するワイパーを動かす為のものである。
【００１８】
図４において、キャップ１には壁３７が形成され、壁３７にはガイド部３５が溝１２と平行に２本形成されている。ガイド部３５にはワイパホルダー２３が切り欠き部２５、２６により摺動自在に係合していおり、ワイパホルダ２３にはマグネット２２とワイパ２９が設けられている。マグネット２１とマグネット２２は互いに引き寄せ合うように構成されている為、図３に示すようレバー２を溝１２に沿って矢印Ｃ方向へ移動することにより、ワイパホルダ２３もガイド部３５に沿って移動する。
【００１９】
図４において、ワイパ２９はＨＮＢＲ等のゴム材料でできており、厚さ０．６ｍｍ程度の平板形状をしている。キャップ１を携帯時の状態から矢印Ｂ方向ヘパッキン３０が調整溝５５に到達するまで本体３から引き抜いたところで、ワイパ２９端部がヘッド３１のフェイス面に当たるよう構成されており、この状態でレバー２を矢印Ｃ方向へ移動することにより、ワイパ２９の端部がヘッド３１のフェイス面に付着したゴミやインク等を除去する。
【００２０】
図５に示すように本体３の右端部付近には穴３８が設けられ、除去された、ゴミ及びインクは、穴３８ヘワイパ２９によりはき落とされる。穴３８には吸収体３９が底部に接着されており，はき落とされたゴミ、インク等はこの吸収体３９により保持される。
【００２１】
図４に示すよう、キャップ１には穴２７が形成されている壁３６が設けられ、大気圧状態では穴２７をふさぐ弁２４が設取り付けられている。また、キャップ１の内周部には本体３に密着しているパッキン３０が設けられている為、図３に示す、矢印Ｂ方向ヘキャップ１を移動することにより、ヘッド３１のフェイス面の空間に負圧を発生させることができる。逆に、矢印Ｄ方向にキャップ１を移動させた場合、弁２４が図４の一点鎖線で示したように動き、穴２７が開放されるため加圧されない。また、図５に示したように、本体３の側面部には調整溝５５が形成されており、上述したようにキャップ１を引き抜く事により負庄が発生するが、パッキン３０が調整溝５５にかかるまでキャップ１が引き抜かれると大気と連通するため負圧は解除される。
【００２２】
次に上述した、構成において携帯状態から記録するまでの一連の動作を詳細に説明する。図３に示した携帯状態から、キャップ１をパッキン３０が調整溝５５にかかるまで矢印Ｂ方向へ引き抜く。この間、キャップ１内部には負圧が発生し、ヘッド３１のノズル内のインク又はエアーを吸引する。続いて、レバー２を矢印Ｃ方向へ往復移動させヘッド３１のフェイス面上の余分なインクやゴミ等を除去する。その後、スイッチ６を押し電源ＯＮ状態にする。この時、ヘッド３１の全てのノズルからそれぞれ３００発の予備吐出が行われる。吐出されたインクは、キャップ１内部の吸収体２８へ吸着する。
【００２３】
図２、図３に示した携帯状態から、キャップ１を本体３からはずし、続いて、ガイド軸７をツメ１１、ツメ１２からはずす。図１に示すよう、キャップ１を本体３のヘッド３１のノズル面反対側へ挿入し、ガイド軸７を本体３のガイド穴１５へ挿入する。この際本体３はガイド軸７の端部に位置するよう、机上へ設置する。
【００２４】
スイッチ６を押したことにより電源ＯＮ状態となると共に、本記録装置はデータ受信可能状態となり、ＬＥＤ５が点灯する。次に、不図示のパソコンから赤外線データを送ると、本記録装置はＩｒＤＡ４１よりデータを受信し、制御部５４で処理を行い記録可能状態となり、ＬＥＤ５は点滅を開始する。
【００２５】
続いて、本体３をガイド軸７に沿って移動させ、センサ４０がエンコーダ２０のデータを検出する。該データにより本体３の移動状態を制御部５４が解析し、その移動量及び移動速度に応じてインクジェットヘッド３１からインクを用紙４０へ吐出させ記録を開始する。このとき、ローラ４の外周部は机に接しており本体３の移動に合わせ回転する。また、拍車１７は紙の浮きを押さえながら、ローラ４と同様に回転する。
【００２６】
記録すべきデータがなくなるとＬＥＤ５の点滅は点灯に変わるが、用紙１枚分の記録が終わっても記録すべきデータが残っている場合は、スイッチ６を押し記録待機状態とする。このときＬＥＤ５は記録可能状態に比べ間隔の短い点滅を行い、記録待機状態にあることをユーザに知らせる。記録待機状態では本体３をガイドレール３に沿って移動させてもヘッド３１からのインクの吐出は行われない。
【００２７】
記録した用紙４０を取り除き、本体３を元の位置までガイド軸７に沿って移動し用紙をセットする。再び、スイッチ６を押し印字可能状態（ＬＥＤ５の点滅の間隔は長くなる）とし、本体３をガイド軸７に沿って移動を開姑すると記録が開姑される。上述した動作を繰り返し、記録すべきデータがなくなるとＬＥＤ５の点滅が点灯に変わり記録が終了したことを知らせる。
【００２８】
さらに、スイッチ６を押すとＬＥＤ５の点灯は消え電源ＯＦＦ状態となるので、ガイド軸７を本体３より引き抜き、図２、図３、に示すようにキャップ１を本体３のインクジェットヘッド３１側へ挿入し、ガイド軸７をツメ１１、ツメ１２に挟み込み携帯状態とする。
【００２９】
（第２実施形態）
第１実施形態ではキャップ１を本体３から完全に分離するような構成にしたが、図９に示したような構成も考えられる。
【００３０】
すなわち、本体３の側面にダボ５６を設け、キャップ１ａにはダボ５６に契合するよう長穴５７を設ける。また、キャップ１ａにはガイド軸７が固定できるよう、ツメ１１ａを設ける。印字する際はキャップ１ａを矢印Ｇ方向に移動させ、図３のｂに示したように、キャップ１ａをダボ５６を回転中心として回転させ、つづいて、図３のｃに示したように、本体３の逆方向へ挿入し印字状態とする。
【００３１】
また、キャップ１ａにガイド軸７を取り付けた事により、負圧を発生する際にキャップ１ａを持ちやすくするという効果も得られる。
【００３２】
（第３実施形態）
第１実施形態ではワイパー２９を駆動するために、レバー２を移動させたが、図１０、及び図１１に示したような方法も考えたれる。
【００３３】
図１０は第３実施形態の携帯時の状態を表した斜視図であり、図１１はワイパ駆動時の状態を表した断面図である。
【００３４】
図１０において、キャップ１ｂ側面部にはガイド軸７が挿入できるようガイド軸穴５９が設けてあり、図１１に示すよう、内部にはガイド軸７を摺動可能にガイドする軸ガイド５８が設けてある。ガイド軸７にはマグネット２１ａが２カ所に取り付けられているが、該マグネット２１ａは、第１実施形態のゴム足９と同形状であり、また、マグネット２２と引きつけ合うよう磁力を帯びている。従って、図１０に示したように、軸７が矢印Ｉ方向へ移動するとワイパー２９も移動しヘッド３１のフェイス面の余分なインク及び紙ケバ等を除去する。
【００３５】
また、このような構成の場合、エンコーダ２０ａは光学的なものを使用した方が、信頼性が向上する。
【００３６】
（第４実施形態）
上述した実施形態ではインクジェットフェイス面をの紙ケバ等を除去するワイパを１枚構成としたが、複数の構成にしても良い。また、平板形状でなくてもよく、例えば、円柱形状で、インクやゴミを吸着するような材質にしても構わない。
【００３７】
【発明の効果】
以上説明したように、電気エネルギーを利用し液体を吐出させるインクジェットヘッドのノズル面を覆うキャップにおいて、手動で前記キャップ内に負圧を発生させる負庄発生手段と、前記ノズル面を拭き取るワイパーを前記キャップに一体に設けた手動記録回復装置により、小型軽量、低消費電力のプリンタが可能となった。
【図面の簡単な説明】
【図１】本発明第１実施形態の手動式記録装置の記録状態を表した斜視図である。
【図２】本発明第１実施形態の手動式記録装置の携帯状態を表した斜視図である。
【図３】本発明第１実施形態の手動式記録装置の携帯状態を表した斜視図である。
【図４】図３の断面図である。
【図５】図３の断面図である。
【図６】本発明第１実施形態の本体３のガイド穴１５にガイド軸７が挿入されている部分の断面図である。
【図７】図１の矢印Ｅ方向から見た側面図である。
【図８】図１の矢印Ｆ方向から見た側面図である。
【図９】本発明第２実施形態を表した側面図である。
【図１０】本発明第３実施形態の携帯時の状態を表した斜視図である。
【図１１】本発明第３実施形態の携帯時のワイピング状態を表した断面図である。
【図１２】本発明第１実施形態の手動式記録装置の制御部を表すブロック図である。
【符号の説明】
１　キャップ
２　レバー
３　本体
４　ローラ
５　ＬＥＤ
６　スイッチ
７　ガイド軸
９　ゴム足
１１　ツメ
１２　ツメ
１７　拍車
２０　エンコーダ
２９　ワイパー
３０　パッキン
３１　インクジェットヘッド
３３　インクタンク
３４　バッテリー
４１　ＩｒＤＡ
４２　センサ
５１　拍車
５４　制御部
５６　ダボ
５７　長穴
５８　軸ガイド
２０ａ　エンコーダ部
【図１】
2004009417.tif 000003
【図２】
2004009417.tif 000004
【図３】
2004009417.tif 000005
【図４】
2004009417.tif 000006
【図５】
2004009417.tif 000007
【図６】
2004009417.tif 000008
【図７】
2004009417.tif 000009
【図８】
2004009417.tif 000010
【図９】
2004009417.tif 000011
【図１０】
2004009417.tif 000012
【図１１】
2004009417.tif 000013
【図１２】
2004009417.tif 000014